(57)【要約】      （修正有）【課題】物品をその大きさに対応して好適に、かつ、ずれ動くことなく包装封止することができる包装材を提供する。【解決手段】シート材１における片面の全面に自着性の接着剤２を塗布してあり、好ましくは、長尺のシート材１をロール状に巻回している。自着性の接着剤が塗布された片面を内側にして二つ折りして物品を挟み込み物品３の周囲にはみ出て対向しているシート材１部分の片面同士を接着剤２の自着作用で接合することで、物品をずれ動くことのない状態で包装封止することができる。【選択図】図２
2015231858.tif 000002
【特許請求の範囲】
【請求項１】
シート材における片面の全面又は片面の縁部を除く全面に、自着性の接着剤が、塗布されている、
ことを特徴とする包装材。
【請求項２】
長尺の前記シート材が、ロール状に巻回されている、
請求項１に記載の包装材。
【請求項３】
前記シート材を切り取るための破断部が形成されている、請求項１または２に記載の包装材。
【請求項４】
前記破断部が、ミシン目、型押し線、ノッチ、及び、切り込みの少なくともいずれか一つから構成される請求項３に記載の包装材。
【請求項５】
前記シート材が前記ロール状に巻回されてなるシートロールが、ケースに収納され、該ケースには、前記シートロールから繰り出したシート材をケース外方に引き出すシート導出部に、前記シート材を切断する切断刃が設けられる、
請求項２に記載の包装材。
【請求項６】
前記シート材が、枚葉シートである、
請求項１に記載の包装材。
【請求項７】
前記シート材の前記片面とは反対側に、緩衝層を備えている。
請求項１ないし６のいずれかに記載の包装材。
【発明の詳細な説明】
【技術分野】
【０００１】
本発明は、各種の物品を包装封止するのに利用することができる包装材に関する。
【背景技術】
【０００２】
包装材の一例である包装袋としては、扁平な封筒状のものや、マチ付きのもの（例えば、特許文献１参照）などが利用される。
【先行技術文献】
【特許文献】
【０００３】
【特許文献１】実用新案登録３０５００６７号公報
【発明の概要】
【発明が解決しようとする課題】
【０００４】
包装袋を用いて物品を包装封止するためには、包装袋の開口端を糊付けしたり、接着テープやシール片などの封緘材を用いる必要があり、封止処理が煩わしいものとなる。また、包装封止した物品が包装袋の中でずれ動くと不都合である場合には、物品を緩衝材などで包んで包装袋に収納する、等の手間が必要となる。
【０００５】
本発明は、このような点に着目してなされたものであって、物品をその大きさに対応して好適に、かつ、ずれ動くことなく包装封止することができる包装材を提供することを主たる目的とする。
【課題を解決するための手段】
【０００６】
上記目的を達成するために、本発明では次のように構成している。
【０００７】
（１）本発明に係る包装材は、シート材における片面の全面又は片面の縁部を除く全面に、自着性の接着剤が、塗布されている。
【０００８】
自着性の接着剤は、片面の全面に塗布されるのが好ましいが、片面の縁部に接着剤が塗布されない部分があってもよい。
【０００９】
本発明によると、シート材を、自着性の接着剤が塗布された片面を内側にして二つ折りして物品を挟み込み、あるいは、自着性の接着剤が塗布された片面を対向させた２枚のシート材の間に物品を挟み込んで、物品の周囲にはみ出て対向しているシート材部分の片面同士を接着剤の自着作用で接合することで、物品をずれ動くことのない状態で包装封止することができる。
【００１０】
（２）本発明の好ましい実施態様では、長尺の前記シート材が、ロール状に巻回されている。
【００１１】
この実施態様によると、物品の大きさに応じた任意の長さのシート材を切り取ることができ、過不足のない大きさのシート材で物品を好適に包装することができるとともに、シート材を無駄なく使用することができる。
【００１２】
（３）本発明の他の実施態様では、前記シート材を切り取るための破断部が形成されている。
【００１３】
この実施態様によると、破断部によって、シート材を切り取ることができるので、鋏やカッターナイフを用意する必要がない。
【００１４】
（４）上記(３)の実施態様では、前記破断部を、ミシン目、型押し線、ノッチ、及び、切り込みの少なくともいずれか一つで構成してもよい。
【００１５】
この実施態様によると、ミシン目、型押し線、ノッチ、切り込み、あるいは、それらを組合せた破断部によって、シート材を簡単に切り取ることができる。
【００１６】
（５）上記(２)の実施態様では、前記シート材が前記ロール状に巻回されてなるシートロールが、ケースに収納され、該ケースには、前記シートロールから繰り出したシート材をケース外方に引き出すシート導出部に、前記シート材を切断する切断刃が設けられる。
【００１７】
この実施態様によると、ケースのシート導出部から引き出したシート材を、切断刃で任意の長さに切断することができ、鋏やカッターナイフを用意する必要なく簡単にシート材を切断して所望の深さの包装袋を形成することができる。
【００１８】
（６）本発明の他の実施態様では、前記シート材が、枚葉シートである。
【００１９】
この実施態様によると、２枚の枚葉シート間に、物品を挟み込んで接合するだけで、包装封止することができ、同種の物品を多数包装するような場合に便利となる。
【００２０】
（７）本発明の更に他の実施態様では、前記シート材の前記片面とは反対側に、緩衝層を備えている。
【００２１】
この実施態様によると、物品の全周を緩衝層で包み込んで安全に包装封止することができ、郵便や宅配便等の配送物品の包装に有効に活用することができる。
【発明の効果】
【００２２】
このように、本発明による包装材を用いると、物品をその大きさに対応して好適に、かつ、ずれ動くことなく包装封止することができる。
【図面の簡単な説明】
【００２３】
【図１】本発明の一実施形態の包装材の斜視図である。
【図２】図１の包装材を用いて物品を包装する過程を示す斜視図である。
【図３】図２の包装状態の縦断面図である。
【図４】図１の包装材を用いて他の物品を包装する過程を示す斜視図である。
【図５】図４の包装状態の縦断面図である。
【図６】図１の包装材の使用形態の例を示す斜視図である。
【図７】本発明の他の実施形態の包装材の斜視図である。
【図８】本発明の更に他の実施形態の包装材の斜視図である。
【図９】本発明の他の実施形態の包装材の斜視図である。
【図１０】包装材の他の実施形態の一部を拡大した斜視図である。
【図１１】図１０の包装材を用いて包装した状態を示す縦断面図である。
【図１２】包装材の別実施形態を示す斜視図である。
【発明を実施するための形態】
【００２４】
以下、本発明の実施の形態について図面を参照しながら説明する。
【００２５】
図１に、本発明の一実施形態に係る包装材が示されている。この実施形態の包装材は、幅が一定の連続した長尺のシート材１を、ロール状に巻回したシートロール１Ｒの状態でユーザーに提供される。ユーザーは、シートロール１Ｒから繰り出したシート材１を所望の長さに切断し、切断した矩形のシート材１で物品を包んで包装封止する。
【００２６】
前記シート材１は、適当幅の紙や樹脂フィルムなどの適宜素材で形成されており、その巻き込み内側となる片面の全面に自着性の接着剤２が塗布されている。
【００２７】
自着性の接着剤２は、他物への接着性はほとんどなく、接着剤同士が接合されると強い接着力（例えば、１ｋｇ/２５ｍｍ程度）がもたらされる特性を備えている。この自着性の接着剤２の接着力は、用途等に応じて選択すればよい。
【００２８】
上記構成の包装材は以下のようにして包装に利用される。
【００２９】
ユーザーは、シートロール１Ｒから繰り出したシート材１を包装する物品の大きさや長さに応じた任意の長さに切断する。この切断したシート材１を、図２に示すように、その長手方向の中間で接着剤２が塗布された側を内側にして二つ折りして物品３を挟み込み、物品３の周囲にはみ出て対向しているシート材部分の内面同士を、自着性の接着剤２の自着作用で接合することで、図３に示すように、物品３をずれ動くことなく包装封止することができる。
【００３０】
例えば、小さい複数の物品３を包装する場合、図４，図５に示すように、各物品３を離して並べるとともに、物品３の間においてもシート材同士を接合することで、物品同士がぶつかって損傷することのない状態で包装することもできる。
【００３１】
従来では、物品がずれ動かないように、物品を台紙などにセロハンテープななどで止めているが、物品にセロテープの接着剤が付着してべたつきや不潔感を生じさせるが、自着性の接着剤２を使用しているので、物品に接着剤が付着してべたつくこともなく、不潔感を生じさせることもない。また、包装した物品を取取り出す際にも、物品が接着剤２に接着しないので、容易に取り出すことができる。
【００３２】
また、シート材１は任意に切断できるので、シート材１の一部を適当な大きさに裁断することで、小さい物品を個別に包装封止することも可能である。また、包装する物品３の形状に合わせた形にシート材１を裁断し、裁断した２枚のシート材１の間に物品３を挟み込んで包装封止することもできる。例えば、物品３が円板状であると、これより一回り大きい円形にシート材１を裁断して用いるのである。
【００３３】
また、包装封止後に、物品を包装封止した包装体の周縁部分を、封止部分に影響しないように所望の形状、例えば、花の形状になるように切り落として意匠性を高めるといったことも可能であり、意匠性の高い包装形態とすることで、プレゼントなどの包装に好適である。
【００３４】
上記のように自着性の接着剤２を内側にしてシート材１を巻回すると、接着面の汚損を防止する上で有効であるが、自着性の接着剤２を外側にしてシート材１を巻回して提供してもよい。
【００３５】
シート材１を巻回したシートロール１Ｒを、デザインされた箱形や筒形のケースに収納して提供すると、見栄え良く展示して販売することができるとともに、ユーザー側においても汚損なく保管することができる。
【００３６】
図６に示すように、シートロール１Ｒをケース４に収容して提供する場合、ケース４の全長に亘って揺動開閉可能に装備した開閉カバー４ａの遊端側のシート導出部に、鋸歯状の切断刃５を付設しておくことで、開閉カバー４ａを潜ってケース外に引き出したシート材１を、鋏やカッターナイフを要することなく任意の位置で切断することができる。
【００３７】
また、鋏やカッターナイフを使用することなく、シートロール１Ｒからシート材１を引き出して、シート材１の長手方向に直交する方向に沿って切り取ることができるように、図７に示すように、前記直交する方向に沿う両端に、破断部としての切り込み１０を、長手方向に沿って所要のピッチで対向するように形成してもよい。あるいは、図８に示すように、切り込み１０に換えてノッチ１１を形成してもよい。また、図９に示すように、シート材１の長手方向に直交する方向に沿って型押し線１２を所要のピッチで形成し、型押し線１２に沿ってシート材１を切り取ることができるようにしてもよい。型押し線１２に換えてミシン目を形成してもよく、ミシン目や型押し線１２と、切り込み１０やノッチ１１を組合せてもよい。
【００３８】
更に、シート材１を、１軸延伸の樹脂フィルムで構成する場合には、延伸方向を、シート材１の幅方向、すなわち、前記直交する方向とすることによって、直交する方向に沿ってシート材１を切り取ることが容易となる。この場合、前記ノッチ１１や切り込み１０と組合せるのが好ましい。
【００３９】
このようにノッチ１１やミシン目等を形成しておくことによって、包装封止した物品を取り出す際にも、ノッチ１１やミシン目等に沿って容易に開裂させることができ、また、物品と接着剤とが接着していないので、簡単に物品を取り出すことができる。
【００４０】
なお、ノッチ１１やミシン目等によってシート材１を切り取る方向は、シート材１の長手方向に直交する方向でなくてもよい。
【００４１】
［他の実施形態］
本発明は、以下のような形態で実施することもできる。
【００４２】
（１）シート材１の素材としては、透明あるいは半透明の樹脂フィルム、非透明の各種の紙材や樹脂フィルム、など、任意の素材を使用することができる。また、任意の厚みの素材を使用することができ、シート材１の外表面に任意の意匠や着色を施すことで、見栄えのする包装を行うことができる。
【００４３】
（２）シート材１を、防水性、気密性、伸縮性、あるいは、断熱性等に優れたシート素材、あるいは、それらシート素材を組合せて構成することができる。
【００４４】
シート材１を、防水性及び気密性に優れたシート素材で構成することによって、食品や水分を含んだ物品や流動性を有する物品などを密封包装することができる一方、例えば、使用済みのおむつや生ゴミ等を確実に密封封止することができる。
【００４５】
（３）図１０，図１１に示すように、片面に自着性の接着剤２が塗布された第１層１ａと、その反対側の面を形成する第２層１ｂとの間に、スポンジ等からなる緩衝層１ｃを挟んでシート材１を構成してもよい。かかる構成のシート材１によると、物品３の全周を緩衝層１ｃで包み込むので、衝撃等による物品３の損傷を防止することができ、郵便や宅配便等の配送物品の包装に好適である。
【００４６】
（４）幅の異なった複数種のシート材１を提供することで、各種大きさの物品に対応することができる。
【００４７】
（５）シート材１は必ずしもロール状にして提供するに限られるものではなく、図１２に示すよう、適当長さに裁断した枚葉状態のシート材１を複数枚積層し、ケースや袋に収納して提供することもできる。
【００４８】
（６）上記実施形態では、自着性の接着剤２を、シート材１の全面に塗布したけれども、物品の包装封止に支障のない範囲で、シート材１の縁部に、接着剤２を塗布しない部分があってもよい。
【符号の説明】
【００４９】
１              シート材
１Ｒ            シートロール
１ｃ            緩衝層
２              自着性の接着剤
３              物品
４              ケース
５              切断刃
１０            切り込み
１１            ノッチ
１２            型押し線
【図１】
2015231858.tif 000003
【図２】
2015231858.tif 000004
【図３】
2015231858.tif 000005
【図４】
2015231858.tif 000006
【図５】
2015231858.tif 000007
【図６】
2015231858.tif 000008
【図７】
2015231858.tif 000009
【図８】
2015231858.tif 000010
【図９】
2015231858.tif 000011
【図１０】
2015231858.tif 000012
【図１１】
2015231858.tif 000013
【図１２】
2015231858.tif 000014